(57)【特許請求の範囲】
【請求項１】
所定のデータの多層記録媒体への記録処理状態を決定する記録処理状態決定装置であって、
前記データを記録可能な記録層が複数設けられた前記多層記録媒体の前記記録層の数を判定する記録層構成判定手段と、
前記多層記録媒体へ記録可能な前記データの記録可能時間が、１つの前記記録層を有する記録媒体に記録可能な記録可能時間に対して、前記記録層構成判定手段で判定された前記記録層の数を乗じた記録可能時間となるように前記記録処理状態を決定する状態決定手段と、
を具備したことを特徴とした記録処理状態決定装置。
【請求項２】
請求項１に記載の記録処理状態決定装置であって、
前記記録処理状態は、前記データを記録させる際の記録レートである
ことを特徴とした記録処理状態決定装置。
【請求項３】
請求項２に記載の記録処理状態決定装置であって、
前記状態決定手段は、前記記録レートを、前記１つの記録層を有する記録媒体の記憶容量に前記記録層の数を乗じた値に対する、前記多層記録媒体の実際の記憶容量の割合に設定する
ことを特徴とした記録処理状態決定装置。
【請求項４】
請求項１に記載の記録処理状態決定装置であって、
前記状態決定手段は、前記データを記録させる際の前記データの圧縮状態を決定する処理を、前記記録処理状態を決定する処理として実施する
ことを特徴とした記録処理状態決定装置。
【請求項５】
請求項１に記載の記録処理状態決定装置であって、
前記状態決定手段は、前記データを記録させる際の前記データのエンコード方式を決定する処理を、前記記録処理状態を決定する処理として実施する
ことを特徴とした記録処理状態決定装置。
【請求項６】
演算手段により、所定のデータの多層記録媒体への記録処理状態を決定する記録処理状態決定方法であって、
前記演算手段は、
前記データを記録可能な記録層が複数設けられた前記多層記録媒体の前記記録層の数を判定し、
前記多層記録媒体へ記録可能な前記データの記録可能時間が、１つの前記記録層を有する記録媒体に記録可能な記録可能時間に対して、前記判定された前記記録層の数を乗じた記録可能時間となるように前記記録処理状態を決定する
ことを特徴とする記録処理状態決定方法。
【請求項７】
多層ディスクよりも記憶容量が大きい記録媒体への所定のデータの記録処理状態を決定する記録処理状態決定装置であって、
前記データを前記多層ディスクに最適化して前記記録媒体へ記録する旨の設定を行う設定手段と、
前記設定手段における設定状態を判定する判定手段と、
前記多層ディスクへ記録可能な前記データの記録可能時間が、１つの記録層を有するディスクに記録可能な記録可能時間に対して、前記設定手段で設定された前記多層ディスクの前記記録層の数を乗じた記録可能時間となるように前記記録処理状態を決定する状態決定手段と、
を具備したことを特徴とした記録処理状態決定装置。
【請求項８】
請求項７に記載の記録処理状態決定装置であって、
前記記録媒体はハードディスクである
ことを特徴とした記録処理状態決定装置。
【請求項９】
請求項７または請求項８に記載の記録処理状態決定装置であって、
前記記録処理状態は、前記データを記録させる際の記録レートである
ことを特徴とした記録処理状態決定装置。
【請求項１０】
請求項９に記載の記録処理状態決定装置であって、
前記状態決定手段は、前記記録レートを、前記１つの記録層を有するディスクの記憶容量に前記記録層の数を乗じた値に対する、前記多層ディスクの実際の記憶容量の割合に設定する
ことを特徴とした記録処理状態決定装置。
【請求項１１】
請求項７または請求項８に記載の記録処理状態決定装置であって、
前記状態決定手段は、前記データを記録させる際の前記データの圧縮状態を決定する処理を、前記記録処理状態を決定する処理として実施する
ことを特徴とした記録処理状態決定装置。
【請求項１２】
請求項７または請求項８に記載の記録処理状態決定装置であって、
前記状態決定手段は、前記データを記録させる際の前記データのエンコード方式を決定する処理を、前記記録処理状態を決定する処理として実施する
ことを特徴とした記録処理状態決定装置。
【発明の詳細な説明】
【技術分野】
【０００１】
本発明は、データを記録させる際の記録処理状態を設定する記録処理状態決定装置および記録処理状態決定方法に関する。
【背景技術】
【０００２】
従来、各種データを記録媒体に記録する構成が知られている。そして、このような構成において、記録媒体に記録可能なデータ量に基づいて、記録レートを変更する構成が知られている（例えば、特許文献１参照）。
【０００３】
この特許文献１に記載のものは、記録を行おうとする光ディスクの記憶可能量を算出あるいは取得する。そして、この記憶可能量を記録必要時間（メモリ内に記録されている終了時刻から開始時刻を減じた時間）で除した記録レートで、記録信号を記録する。
【０００４】
【特許文献１】特開平１１−２１３５５６（第４頁右欄−第８頁右欄）
【発明の開示】
【発明が解決しようとする課題】
【０００５】
しかしながら、上述したような特許文献１に記載のような構成では、記憶可能量に応じて記録レートが設定されるため、利用者が意図しない場合であっても１つの記録媒体に異なる画質で画像データが記録されてしまうおそれがある。このため、一定の画質の映像を利用者に視聴させることができないおそれがあるという問題点が一例として挙げられる。
【０００６】
また、各種データを記録可能な少なくとも１つの記録層を有する記録媒体にデータを記録する記録装置が知られている。しかしながら、複数の記録層を有する記録媒体では、単層の記録層を有する記録媒体と比べて、記録データの論理構成（データ管理領域の構成）や、ディスク自体の物理構成（トラックピッチ等）が異なるため、所定の記録モードにおいて記録できる最大の時間、すなわち最大記録時間が記録層の数に略比例しないおそれがある。このため、例えば利用者により２層の記録層を有する記録媒体の最大記録時間が１層の記録層を有する記録媒体（以下、１層記録媒体と称す）の最大記録時間の約２倍であるという前提で記録処理の設定がされてしまい、放送時間長が１層記録媒体の最大記録時間の約２倍のコンテンツを全て記録媒体に記録できないおそれがあるという問題点が一例として挙げられる。
【０００７】
本発明の目的は、このような実情などに鑑みて、データを記録させる際の記録処理状態を適切に決定可能な記録処理状態決定装置および記録処理状態決定方法を提供することである。
【課題を解決するための手段】
【０００８】
本発明の記録処理状態決定装置は、所定のデータの多層記録媒体への記録処理状態を決定する記録処理状態決定装置であって、前記データを記録可能な記録層が複数設けられた前記多層記録媒体の前記記録層の数を判定する記録層構成判定手段と、前記多層記録媒体へ記録可能な前記データの記録可能時間が、１つの前記記録層を有する記録媒体に記録可能な記録可能時間に対して、前記記録層構成判定手段で判定された前記記録層の数を乗じた記録可能時間となるように前記記録処理状態を決定する状態決定手段と、を具備したことを特徴とする。
【０００９】
本発明の記録処理状態決定方法は、演算手段により、所定のデータの多層記録媒体への記録処理状態を決定する記録処理状態決定方法であって、前記演算手段は、前記データを記録可能な記録層が複数設けられた前記多層記録媒体の前記記録層の数を判定し、前記多層記録媒体へ記録可能な前記データの記録可能時間が、１つの前記記録層を有する記録媒体に記録可能な記録可能時間に対して、前記判定された前記記録層の数を乗じた記録可能時間となるように前記記録処理状態を決定することを特徴とする。
本発明の記録処理状態決定装置は、多層ディスクよりも記憶容量が大きい記録媒体への所定のデータの記録処理状態を決定する記録処理状態決定装置であって、前記データを前記多層ディスクに最適化して前記記録媒体へ記録する旨の設定を行う設定手段と、前記設定手段における設定状態を判定する判定手段と、前記多層ディスクへ記録可能な前記データの記録可能時間が、１つの記録層を有するディスクに記録可能な記録可能時間に対して、前記設定手段で設定された前記多層ディスクの前記記録層の数を乗じた記録可能時間となるように前記記録処理状態を決定する状態決定手段と、を具備したことを特徴とする。
【発明を実施するための最良の形態】
【００１０】
以下に、本発明の一実施形態を図面に基づいて説明する。本実施形態では、本発明の記録処理状態決定装置を有する記録処理装置を備えた記録再生装置を例示して説明するが、これに限らず、データを記録させる際の記録処理状態を決定するいずれの構成でも適用できる。
【００１１】
〔１層ディスクの構成〕
まず、本発明に係る一実施形態の記録再生装置にて記録再生処理される１層の記録層を有する記録媒体としてのＤＶＤ（Digital Versatile Disk、以下、１層ディスクと称す）の構造について、図１を参照して説明する。図１は、記録再生装置にて記録再生処理される１層ディスクの概略構造を簡略的に示した模式図である。
【００１２】
図１において、１０は１層ディスクである。この１層ディスク１０は、略中央に図示しない略円形のセンタホールを有した円板状に形成され、片面が記録層１１となっている。この記録層１１には、その最内周側に始端であることを示すリードインコードや、１層ディスク１０に関する各種情報が記録されたリードインエリア１１Ａが設けられている。また、記録層１１には、リードインエリア１１Ａの外周側に、コンテンツデータなどの約４．７ＧＢの各種データが記録可能なデータエリア１１Ｂが隣接して設けられている。さらに、記録層１１には、データエリア１１Ｂの外周側に、このデータエリア１１Ｂの終端であることを示すリードアウトコードが記録されたリードアウトエリア１１Ｃが隣接して設けられている。
【００１３】
〔２層ディスクの構成〕
次に、記録再生装置にて記録再生処理される２層の記録層を有する記録媒体としてのＤＶＤ（以下、２層ディスクと称す）の構造について、図２を参照して説明する。図２は、記録再生装置にて記録再生処理される２層ディスクの概略構造を簡略的に示した模式図である。
【００１４】
図２において、２０は２層ディスクである。この２層ディスク２０は、円板状に形成され、片面が第１の記録層２１となっている。この第１の記録層２１には、２層ディスク２０に関する各種情報が記録されたリードインエリア２１Ａと、約４．２８ＧＢの各種データが記録可能なデータエリア２１Ｂと、リードアウトエリア２１Ｃと、が設けられている。また、第１の記録層２１には、第２の記録層２２が例えば接着剤などにより積層される状態で貼り合わされている。そして、この第２の記録層２２には、リードインエリア２２Ａと、約４．２６ＧＢの各種データ記録可能なデータエリア２２Ｂと、リードアウトエリア２２Ｃと、が設けられている。ここで、２層ディスク２０に記録可能なデータ量は約８．５４ＧＢであり、１層ディスク１０に記録可能なデータ量の２倍の量よりも少なくなっている。具体的には、２層ディスク２０の各層に記録可能なデータ量は、１層ディスク１０のそれの約９０％となっている。この理由としては、例えば各記録層２１，２２の貼り合わせの精度が取れないことや、第１の記録層２１にデータが記録されていないと第２の記録層２２に記録できないこと、ディスク自体の物理的構造（トラックピッチ等）が異なることなどが例示できる。
【００１５】
〔記録再生装置の構成〕
次に、記録再生装置の概略構成について、図３を参照して説明する。図３は、記録再生装置の概略構成を示すブロック図である。
【００１６】
図３において、１００は記録再生装置である。この記録再生装置１００は、例えばテレビアンテナなどで受信されたり他の再生装置で再生されたりしたテレビ番組や映画などのコンテンツのデータであるコンテンツデータを適宜記録再生する。そして、記録再生装置１００は、データ取得手段としてのデータ入力部１２０と、データ出力部１４０と、記録再生処理部１６０と、記録層構成判定手段としてのディスク層構成判定部１８０と、リモコン受光部２００と、操作部２２０と、表示部２４０と、メモリ部２６０と、状態決定手段としても機能するシステム制御部２８０と、などを備えている。ここで、ディスク層構成判定部１８０およびシステム制御部２８０にて、本発明の記録処理状態決定装置および演算手段が構成されている。
【００１７】
データ入力部１２０は、外部などからコンテンツデータなどを取得して、データ出力部１４０や記録再生処理部１６０へ適宜出力する。そして、このデータ入力部１２０は、ＴＶ（テレビジョン）受信機１２１と、第１の入力切換部１２２と、第２の入力切換部１２３と、ビデオデコーダ１２４と、Ａ／Ｄコンバータ１２５と、ＭＰＥＧ（Moving Picture Coding Experts Group）エンコーダ１２６と、音声エンコーダ１２７と、マルチプレクサ１２８と、などを備えている。
【００１８】
ＴＶ受信機１２１には、放送局からの放送波を受信するアンテナＡＴと、システム制御部２８０と、などが接続されている。また、ＴＶ受信機１２１は、第１の入力切換部１２２を介してビデオデコーダ１２４に適宜接続される。さらに、ＴＶ受信機１２１は、第２の入力切換部１２３を介してＡ／Ｄコンバータ１２５に適宜接続される。このＴＶ受信機１２１は、アンテナＡＴにより受信されこのアンテナＡＴから出力されるＶＨＦ（Very High Frequency）やＢＳ（Broadcasting Satellite）などのコンテンツデータの信号を取得する。そして、利用者により選択された受信帯域に同調する信号をアナログの映像信号に復調して、第１の入力切換部１２２を介してビデオデコーダ１２４へ適宜出力する。また、取得した信号をアナログの音声信号に復調して、第２の入力切換部１２３を介してＡ／Ｄコンバータ１２５へ適宜出力する。
【００１９】
第１の入力切換部１２２は、ビデオデコーダ１２４などに接続されている。この第１の入力切換部１２２は、システム制御部２８０により制御され、コンテンツデータが有する映像データなどの映像信号を出力する図示しないＡＶデータ出力機器が着脱可能に接続される映像入力端子ＥＮとビデオデコーダ１２４と、または、ＴＶ受信機１２１とビデオデコーダ１２４と、を適宜接続する。
【００２０】
第２の入力切換部１２３は、Ａ／Ｄコンバータ１２５と、システム制御部２８０と、などに接続されている。この第２の入力切換部１２３は、システム制御部２８０により制御され、コンテンツデータが有する音声データなどの音声信号を出力するＡＶデータ出力機器が着脱可能に接続される音声入力端子ＫＮとＡ／Ｄコンバータ１２５と、または、ＴＶ受信機１２１とＡ／Ｄコンバータ１２５と、を適宜接続する。ここで、第２の入力切換部１２３は、第１の入力切換部１２２が例えばＴＶ受信機１２１とビデオデコーダ１２４とを接続した際に、ＴＶ受信機１２１とＡ／Ｄコンバータ１２５とを接続する。
【００２１】
ビデオデコーダ１２４は、ＭＰＥＧエンコーダ１２６に接続されている。また、後述する第２の出力切換部１４５を介して、後述するサムネイルＯＳＤ（On Screen Display）生成合成部１４７に接続されている。このビデオデコーダ１２４は、ＴＶ受信機１２１または映像入力端子ＥＮからの映像信号を適宜取得する。そして、この取得した映像信号をデジタルの映像信号に適宜変換して、ＭＰＥＧエンコーダ１２６またはサムネイルＯＳＤ生成合成部１４７へ適宜出力する。
【００２２】
Ａ／Ｄコンバータ１２５は、音声エンコーダ１２７に接続されている。また、後述する第３の出力切換部１４６を介して、後述するＤ／Ａコンバータ１４９に接続されている。このＡ／Ｄコンバータ１２５は、ＴＶ受信機１２１または音声入力端子ＫＮからの音声信号を適宜取得する。そして、この音声信号をデジタルの音声信号に適宜変換して、音声エンコーダ１２７またはＤ／Ａコンバータ１４９へ適宜出力する。
【００２３】
ＭＰＥＧエンコーダ１２６は、マルチプレクサ１２８と、システム制御部２８０と、などに接続されている。このＭＰＥＧエンコーダ１２６は、ビデオデコーダ１２４からの映像信号を取得する。そして、この映像信号をＭＰＥＧ形式の映像データに変換して、マルチプレクサ１２８へ出力する。また、ＭＰＥＧエンコーダ１２６はシステム制御部２８０からコンテンツデータを所定の記録レート（圧縮率）で記録する旨を要求する記録レート情報を取得する。
【００２４】
音声エンコーダ１２７は、マルチプレクサ１２８と、システム制御部２８０と、などに接続されている。この音声エンコーダ１２７は、Ａ／Ｄコンバータ１２５からの音声信号を取得する。そして、この音声信号をＡＣ−３（Audio Code number 3）形式の音声データに変換して、マルチプレクサ１２８へ出力する。
【００２５】
マルチプレクサ１２８は、記録再生処理部１６０の後述するデータ記録部１６１と、システム制御部２８０と、などに接続されている。また、後述する第１の出力切換部１４１を介して、後述するデマルチプレクサ１４２に接続されている。このマルチプレクサ１２８は、ＭＰＥＧエンコーダ１２６からの映像データおよび音声エンコーダ１２７からの音声データを適宜取得する。そして、映像データおよび音声データに基づいて、コンテンツデータの例えばプログラムストリームを生成して、データ記録部１６１またはデマルチプレクサ１４２へ出力する。
【００２６】
データ出力部１４０は、データ入力部１２０や記録再生処理部１６０からのコンテンツデータなどを適宜取得して、外部などへ適宜出力する。そして、このデータ出力部１４０は、第１の出力切換部１４１と、デマルチプレクサ１４２と、ＭＰＥＧデコーダ１４３と、音声デコーダ１４４と、第２の出力切換部１４５と、第３の出力切換部１４６と、サムネイルＯＳＤ生成合成部１４７と、ビデオエンコーダ１４８と、Ｄ／Ａコンバータ１４９と、などを備えている。
【００２７】
第１の出力切換部１４１は、デマルチプレクサ１４２と、記録再生処理部１６０の後述するデータ再生部１６３と、システム制御部２８０と、などに接続されている。この第１の出力切換部１４１は、システム制御部２８０により制御され、マルチプレクサ１２８とデマルチプレクサ１４２と、または、データ再生部１６３とデマルチプレクサ１４２と、を適宜接続する。
【００２８】
デマルチプレクサ１４２は、ＭＰＥＧデコーダ１４３と、音声デコーダ１４４と、システム制御部２８０と、などに接続されている。このデマルチプレクサ１４２は、マルチプレクサ１２８やデータ再生部１６３からコンテンツデータのプログラムストリームを適宜取得して、このプログラムストリームをＭＰＥＧ形式の映像データと、ＡＣ−３形式の音声データと、に分離する。そして、映像データをＭＰＥＧデコーダ１４３へ、音声データを音声デコーダ１４４へ適宜出力する。
【００２９】
ＭＰＥＧデコーダ１４３は、システム制御部２８０などに接続されている。また、第２の出力切換部１４５を介してサムネイルＯＳＤ生成合成部１４７に適宜接続される。このＭＰＥＧデコーダ１４３は、デマルチプレクサ１４２からの映像データを適宜取得して、この映像データを復号化してデジタルの映像信号に適宜変換する。そして、このデジタルの映像信号を、第２の出力切換部１４５を介してサムネイルＯＳＤ生成合成部１４７へ適宜出力する。
【００３０】
音声デコーダ１４４は、システム制御部２８０などに接続されている。また、第３の出力切換部１４６を介してＤ／Ａコンバータ１４９に適宜接続される。この音声デコーダ１４４は、デマルチプレクサ１４２からの音声データを適宜取得して、この音声データを復号化してデジタルの音声信号に適宜変換する。そして、このデジタルの音声信号を、第３の出力切換部１４６を介してＤ／Ａコンバータ１４９へ適宜出力する。
【００３１】
第２の出力切換部１４５は、サムネイルＯＳＤ生成合成部１４７などに接続されている。この第２の出力切換部１４５は、システム制御部２８０により制御され、ビデオデコーダ１２４とサムネイルＯＳＤ生成合成部１４７と、または、ＭＰＥＧデコーダ１４３とサムネイルＯＳＤ生成合成部１４７と、を適宜接続する。
【００３２】
第３の出力切換部１４６は、Ｄ／Ａコンバータ１４９と、システム制御部２８０と、などに接続されている。この第３の出力切換部１４６は、システム制御部２８０により制御され、Ａ／Ｄコンバータ１２５とＤ／Ａコンバータ１４９と、または、音声デコーダ１４４とＤ／Ａコンバータ１４９と、を適宜接続する。ここで、第３の出力切換部１４６は、第２の出力切換部が例えばＭＰＥＧデコーダ１４３とサムネイルＯＳＤ生成合成部１４７とを接続した際に、音声デコーダ１４４とＤ／Ａコンバータ１４９とを接続する。
【００３３】
サムネイルＯＳＤ生成合成部１４７は、ビデオエンコーダ１４８と、システム制御部２８０と、などに接続されている。このサムネイルＯＳＤ生成合成部１４７は、システム制御部２８０の制御により、例えば１層ディスク１０や２層ディスク２０に記録されたコンテンツなどのいわゆるサムネイル画像を適宜生成する。そして、このサムネイル画像を図示しない表示装置で表示させるためのサムネイル画像信号に適宜変換して、ビデオエンコーダ１４８へ出力する。また、サムネイルＯＳＤ生成合成部１４７は、ビデオデコーダ１２４やＭＰＥＧデコーダ１４３から映像信号を取得して、この映像信号の映像に所定の文字情報を重畳させた映像を表示させるための合成映像を適宜生成する。そして、この合成映像を合成映像信号に適宜変換して、ビデオエンコーダ１４８へ出力する。さらに、サムネイルＯＳＤ生成合成部１４７は、ビデオデコーダ１２４やＭＰＥＧデコーダ１４３から映像信号を取得して、この映像信号に対する処理を実施せずにビデオエンコーダ１４８へ出力する。
【００３４】
ビデオエンコーダ１４８は、例えば表示装置が着脱可能に接続される映像出力端子ＥＳに接続されている。このビデオエンコーダ１４８は、サムネイルＯＳＤ生成合成部１４７から映像信号や合成映像信号さらにはサムネイル画像信号を適宜取得する。そして、これら映像信号、合成映像信号、サムネイル画像信号を、アナログの映像信号、合成映像信号、サムネイル画像信号に適宜変換して、映像出力端子ＥＳへ出力する。
【００３５】
Ｄ／Ａコンバータ１４９は、例えば表示装置が着脱可能に接続される音声出力端子ＫＳに接続されている。このＤ／Ａコンバータ１４９は、Ａ／Ｄコンバータ１２５や音声デコーダ１４４からの音声信号を取得する。そして、この音声信号をアナログの音声信号に適宜変換して、音声出力端子ＫＳへ出力する。
【００３６】
記録再生処理部１６０は、データ入力部１２０からコンテンツデータを取得して１層ディスク１０や２層ディスク２０に記録したり、１層ディスク１０や２層ディスク２０に記録されたコンテンツデータを再生してデータ出力部１４０へ出力したりする。そして、記録再生処理部１６０は、データ記録部１６１と、ピックアップ１６２と、データ再生部１６３と、などを備えている。ここで、データ入力部１２０、データ記録部１６１、ピックアップ１６２、ディスク層構成判定部１８０、および、システム制御部２８０にて、本発明の記録処理装置が構成されている。
【００３７】
データ記録部１６１は、ピックアップ１６２と、システム制御部２８０と、などに接続されている。このデータ記録部１６１は、ピックアップ１６２を制御して、マルチプレクサ１２８からのコンテンツデータを、記録レート情報の記録レートで１層ディスク１０の記録層１１や２層ディスク２０の各記録層２１，２２に適宜記録させる。
【００３８】
ピックアップ１６２は、データ再生部１６３と、ディスク層構成判定部１８０と、などに接続されている。このピックアップ１６２は、例えば図示しないディスク装着部に１層ディスク１０または２層ディスク２０が装着されたことを認識すると、この装着された１層ディスク１０または２層ディスク２０へ所定の状態でレーザ光を照射する。そして、１層ディスク１０または２層ディスク２０で反射されるレーザ光を受光して、この受光状態に対応する受光状態信号をディスク層構成判定部１８０へ出力する。また、ピックアップ１６２は、データ記録部１６１の制御により、１層ディスク１０や２層ディスク２０に対応する記録レートでコンテンツデータのプログラムストリームを、１層ディスク１０や２層ディスク２０に適宜記録する。さらに、ピックアップ１６２は、データ再生部１６３の制御により、ディスク装着部に装着された１層ディスク１０や２層ディスク２０からコンテンツデータのプログラムストリームを適宜読み出して、データ再生部１６３へ出力する。
【００３９】
データ再生部１６３は、システム制御部２８０などに接続されている。このデータ再生部１６３は、システム制御部２８０の制御により、ピックアップ１６２に所定のコンテンツに対応するコンテンツデータのプログラムストリームを読み取らせて取得する。そして、このプログラムストリームをデマルチプレクサ１４２へ適宜出力する。
【００４０】
ディスク層構成判定部１８０は、システム制御部２８０などに接続されている。そして、ディスク層構成判定部１８０は、ディスク装着部に装着されたディスクが有する記録層の構成を適宜判定する。具体的には、ディスク層構成判定部１８０は、ピックアップ１６２から受光状態信号を取得する。そして、この受光状態信号に基づいてディスク装着部に１層ディスク１０または２層ディスク２０が装着されている旨を認識して、この装着されたディスクの種類を特定する装着ディスク特定情報をシステム制御部２８０へ出力する。
【００４１】
リモコン受光部２００は、システム制御部２８０などに接続されている。このリモコン受光部２００は、リモコンＲＭからの赤外線を受光する。そして、この赤外線が有する記録再生装置１００の設定事項に関する設定事項信号を適宜取得して、システム制御部２８０へ出力する。
【００４２】
操作部２２０は、システム制御部２８０などに接続されている。この操作部２２０は、図示しない操作ボタンや操作つまみなどを備えている。そして、操作部２２０は、例えば操作ボタンの入力操作により設定事項に関する設定事項信号を生成して、システム制御部２８０へ出力する。
【００４３】
表示部２４０は、システム制御部２８０などに接続されている。この表示部２４０としては、例えば液晶パネルや有機ＥＬ（Electro Luminescence）パネル、ＦＥＤ（Field Emission Display）、電気泳動ディスプレイパネルなどが例示できる。この表示部２４０は、システム制御部２８０により制御され、システム制御部２８０から出力される画像データを画面表示する。この画面表示する画像データとしては、記録再生装置１００の動作に関する画像データ、リモコンＲＭや操作部２２０により設定入力された設定事項に関する画像データなどが例示できる。
【００４４】
メモリ部２６０は、コンテンツデータの記録処理や再生処理などに関する各種情報や各種データ、例えば記録処理の予約に関する予約情報や装着ディスク特定情報などを格納、すなわち適宜読み出し可能に記憶する。また、記録再生装置１００全体を動作制御するＯＳ（Operating System）上に展開される各種プログラムなどを記憶している。このメモリ部２６０としては、例えば停電などにより突然電源が落ちた際にも記憶が保持される構成のメモリ、例えばＳＲＡＭ，ＦＬＡＳＨメモリなどを用いることが望ましい。
【００４５】
システム制御部２８０は、１層ディスク１０や２層ディスク２０において記録可能な最大の時間（以下、最大記録時間と称す）が記録層の数に比例する状態に記録レートを適宜設定して、データ記録部１６１およびピックアップ１６２にコンテンツデータの記録処理を実施させる。
【００４６】
すなわち、上述したように、２層ディスク２０に記録可能なデータ量が１層ディスク１０のそれの２倍の量よりも少ないので、１層ディスク１０および２層ディスク２０に同一の記録レートでデータを記録すると、以下の表１に示すように、２層ディスク２０におけるいわゆる高画質モード（ＸＰモード）、標準モード（ＳＰモード）、長時間モード（ＬＰモード）での最大記録時間は、１層ディスク１０のそれの２倍の時間よりも短くなる。なお、記録モードの種類やその呼び名については、様々なものが考案されており、本発明の適用範囲が上述したものに限定されるものではない。
【００４７】
【表１】
0004533932.tif 000002
【００４８】
このため、システム制御部２８０は、以下の表２に示すように、２層ディスク２０での最大記録時間が１層ディスク１０での最大記録時間の約２倍となるように、各記録モードにおける１層ディスク１０の記録レートを従来の記録レートと同じレートに設定するとともに、２層ディスク２０の記録レートを１層ディスク１０の記録レートの約９０％のレートに設定する。
【００４９】
【表２】
0004533932.tif 000003
【００５０】
具体的には、システム制御部２８０は、ディスク層構成判定部１８０から装着ディスク特定情報を取得して、メモリ部２６０に適宜記憶させる。そして、例えば操作部２２０における入力操作に基づく現在受信しているコンテンツのコンテンツデータを記録する処理、あるいは、図示しない計時手段で計時する現在時刻が予約情報における記録開始日時となるコンテンツのコンテンツデータを受信させて記録する処理を開始する旨を認識すると、例えばあらかじめ利用者により設定されている記録モードがＸＰモード、ＳＰモード、ＬＰモードのうちのいずれかである旨を認識する。さらに、システム制御部２８０は、メモリ部２６０から装着ディスク特定情報を取得して、コンテンツデータを記録するディスクが１層ディスク１０または２層ディスク２０である旨を認識する。そして、１層ディスク１０である旨を認識すると、コンテンツデータを従来の記録レートで記録する旨を要求する記録レート情報を生成してデータ記録部１６１へ出力する。
【００５１】
また、記録するディスクが２層ディスク２０である旨を認識すると、表２に示すように、最大記録時間が１層ディスク１０でのそれの約２倍となるように記録レートを演算する。ここで、上述したように、２層ディスク２０の記録レートは、１層ディスク１０の記録レートの約９０％のレートとなる。そして、この演算した記録レートに関する記録レート情報をデータ記録部１６１へ出力する。さらに、データ入力部１２０を制御して、記録するコンテンツデータを取得させて、データ記録部１６１へ出力させる。
【００５２】
また、システム制御部２８０は、データ入力部１２０、データ出力部１４０、記録再生処理部１６０などの動作を適宜制御して、コンテンツデータの再生処理などを適宜実施させる。
【００５３】
〔記録再生装置の動作〕
次に、記録再生装置１００の動作として、コンテンツデータの記録処理について、図面に基づいて説明する。図４は、コンテンツデータの記録処理を示すフローチャートである。
【００５４】
まず、記録再生装置１００のシステム制御部２８０は、図４に示すように、例えば予約情報に基づいて、コンテンツのコンテンツデータの記録処理を開始する旨を認識すると（ステップＳ１０１）、メモリ２４０に記憶された装着ディスク特定情報に基づいて、コンテンツデータを記録するディスクが１層ディスク１０または２層ディスク２０である旨の認識処理、すなわち層構成の判定処理を実施する（ステップＳ１０２）。このステップＳ１０２において、システム制御部２８０は、１層ディスク１０であると判定した場合、記録再生処理部１６０などの動作を制御して、従来の記録レートでコンテンツデータを１層ディスク１０に記録させて（ステップＳ１０３）、処理を終了する。
【００５５】
一方、ステップＳ１０２において、システム制御部２８０は、１層ディスク１０ではなくｎ（ｎは２以上の自然数）層ディスクである、すなわち２層ディスク２０であると判定した場合、最大記録時間が１層ディスク１０の約２倍となるような記録レート、すなわち層構成に即した記録レートを演算する（ステップＳ１０４）。そして、記録再生処理部１６０などの動作を制御して、この層構成に即した記録レートでコンテンツデータを２層ディスク２０に記録させて（ステップＳ１０５）、処理を終了する。
【００５６】
〔記録再生装置の作用効果〕
上述したように、上記実施形態では、記録再生装置１００は、ディスク層構成判定部１８０にて、コンテンツデータを記録するディスクが１層ディスク１０または２層ディスク２０である旨を判別して、この判別した内容に関する装着ディスク情報をシステム制御部２８０へ出力する。そして、システム制御部２８０は、装着ディスク情報に基づいて記録するディスクが１層ディスク１０である旨を認識すると、コンテンツデータを従来の記録レートで記録する旨の記録レート情報をデータ記録部１６１へ出力する。また、２層ディスク２０である旨を認識すると、最大記録時間が１層ディスク１０のそれの約２倍となるように、コンテンツデータを従来の記録レートの約９０％のレートで記録する旨の記録レート情報をデータ記録部１６１へ出力する。このため、記録再生装置１００は、例えば利用者により２層ディスク２０の最大記録時間が１層ディスク１０のそれの約２倍であるという前提で記録処理の設定がされてしまった場合であっても、放送時間長が１層ディスク１０の最大記録時間の約２倍のコンテンツを全て２層ディスク２０に記録させることができる。また、コンテンツデータを記録するディスクの記録層の数に対応させて記録レートを設定するので、従来の構成のように利用者の意図に反して１つのディスクに異なる画質でコンテンツデータが記録されるおそれがなく、一定の画質の映像を利用者に視聴させることができる。したがって、記録再生装置１００は、コンテンツデータの記録レート、すなわちコンテンツデータを記録させる際の記録処理状態を適切に決定できる。
【００５７】
また、システム制御部２８０は、コンテンツデータの記録処理状態を設定する処理として記録レートを設定する処理をして、この設定した記録レートで記録再生処理部１６０にコンテンツデータを記録させる。このため、例えばコンテンツデータの圧縮状態すなわち圧縮方法や圧縮率を設定して、この設定した圧縮状態で記録再生処理部１６０にコンテンツデータを記録させる構成と比べて、記録再生処理部１６０の構成の簡略化や処理負荷の低減を図ることができる。
【００５８】
そして、システム制御部２８０は、ＴＶ受信機１２１で受信したりＡＶデータ出力機器から入力されたりするコンテンツデータの記録レートを設定する。このため、テレビで放送されたりＡＶデータ出力機器から出力されたりするコンテンツを１層ディスク１０や２層ディスク２０に適切に録画させることができ、利便性が高い記録再生装置１００を提供できる。
【００５９】
〔実施形態の変形〕
なお、本発明は、上述した実施形態に限定されるものではなく、本発明の目的を達成できる範囲で以下に示される変形をも含むものである。
【００６０】
すなわち、記録再生装置１００に、２層ディスク２０よりも記録容量が大きい記録媒体、例えばＨＤ（Hard Disk）やブルーレイディスクにコンテンツデータを記録したりする構成を設け、例えば図５に示すような処理を実施する構成としてもよい。具体的には、システム制御部２８０は、コンテンツデータの記録処理を開始する旨を認識すると（ステップＳ２０１）、ｎ層ディスクに最適化してコンテンツデータを記録する旨の設定がされているか否の認識処理、すなわち本体設定の判定処理を実施する（ステップＳ２０２）。このステップＳ２０２において、ｎ層ディスクに最適化しない旨の設定がされていると判定した場合、１層ディスク１０に最適化して記録すると認識して、従来の記録レートでコンテンツデータを例えばＨＤに記録させて（ステップＳ２０３）、処理を終了する。一方、ステップＳ２０２において、ｎ層ディスクに最適する旨の設定がされている、ここでは２層ディスク２０に最適化する旨の設定がされていると判定した場合、上記実施形態と同様に層構成に即した記録レートを演算する（ステップＳ２０４）。そして、この層構成に即した記録レートでコンテンツデータをＨＤに記録させて（ステップＳ２０５）、処理を終了する。
【００６１】
このような構成にすれば、記録再生装置１００は、２層ディスク２０に最適化した記録レートを最大記録時間が１層ディスク１０のそれの約２倍となるようなレートに設定してコンテンツデータをＨＤに記録するので、特別な処理を実施することなく１層ディスク１０の約２倍の最大記録時間のコンテンツデータを２層ディスク２０に適宜ダビングできる。したがって、記録再生装置１００は、ＨＤに記録したコンテンツデータを１層ディスク１０や２層ディスク２０に容易にかつ適切にダビングできる。また、利用者にＨＤへのコンテンツデータの記録レートを適宜設定させることができ、記録再生装置１００の利便性を向上できる。なお、図５に示すような処理を実施する構成を、１層ディスク１０や２層ディスク２０にコンテンツデータを記録したりする構成すなわち記録再生処理部１６０を有さない構成に適用してもよい。
【００６２】
また、システム制御部２８０にて、コンテンツデータの記録処理状態を設定する処理として、コンテンツデータの圧縮状態を設定する構成としてもよい。さらに、コンテンツデータの映像データで表示される映像の解像度を設定する構成としてもよい。そして、エンコード方式をＭＰＥＧやＤｉｖＸなどに設定する構成としてもよい。これらのような構成にしても、記録再生装置１００は、上記実施形態の構成と同様に、コンテンツデータを１層ディスク１０や２層ディスク２０に適切に記録させることができる。
【００６３】
そして、本発明の記録処理状態決定装置を、記録処理および再生処理を実施する記録再生装置に適用した構成を例示したが、記録処理のみを実施する記録装置に適用してもよい。また、ディスク層構成判定部１８０およびシステム制御部２８０を独立させた構成としてもよい。さらに、２層ディスクに限らず、３層や４層など複数の記録層を有するＤＶＤを対象としてもよい。また、記録媒体としては、ＤＶＤに限らず、例えばＣＤ（Compact Disc）、ＭＤ（Mini Disk）、ブルーレイディスクなど複数の記録層を有するいずれの記録媒体を対象としてもよい。そして、データとしては、音声データ、楽曲データ、画像データ、ゲームやアプリケーションソフトのプログラムデータなど、各種データを対象としてもよい。
【００６４】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【００６５】
その他、本発明の実施の際の具体的な構造および手順は、本発明の目的を達成できる範囲で他の構造などに適宜変更できる。
【００６６】
〔実施形態の作用効果〕
上述したように、上記実施形態では、記録再生装置１００は、コンテンツデータを記録するディスクが１層ディスク１０または２層ディスク２０である旨を判別して、１層ディスク１０であると判別すると、記録レートを従来の記録レートに設定する。また、２層ディスク２０であると判別すると、記録レートを最大記録時間が１層ディスク１０のそれの約２倍となるようなレートに設定する。このため、記録再生装置１００は、例えば利用者により２層ディスク２０の最大記録時間が１層ディスク１０のそれの約２倍であるという前提で記録処理の設定がされてしまった場合であっても、放送時間長が１層ディスク１０の最大記録時間の約２倍のコンテンツを全て２層ディスク２０に記録させることができる。また、コンテンツデータを記録するディスクの記録層の数に対応させて記録レートを設定するので、従来の構成のように利用者の意図に反して１つのディスクに異なる画質でコンテンツデータが記録されるおそれがなく、一定の画質の映像を利用者に視聴させることができる。したがって、記録再生装置１００は、コンテンツデータを記録させる際の記録処理状態を適切に決定できる。
【産業上の利用可能性】
【００６７】
本発明は、データを記録させる際の記録処理状態を設定する記録処理状態決定装置および記録処理状態決定方法に利用できる。
【図面の簡単な説明】
【００６８】
【図１】本発明の実施形態に係る記録再生装置にて記録再生処理される１層ディスクの概略構造を簡略的に示した模式図である。
【図２】前記実施形態における記録再生装置にて記録再生処理される２層ディスクの概略構造を簡略的に示した模式図である。
【図３】前記実施形態における記録再生装置の概略構成を示すブロック図である。
【図４】前記実施形態におけるコンテンツデータの記録処理を示すフローチャートである。
【図５】本発明の他実施形態に係るコンテンツデータの記録処理を示すフローチャートである。
【符号の説明】
【００６９】
１０……記録媒体としてのＤＶＤ（１層ディスク）
１１，２１，２２……記録層
２０……記録媒体としてのＤＶＤ（２層ディスク）
１８０……記録処理状態決定装置および演算手段を構成する記録層構成判定手段としてのディスク層構成判定部
２８０……記録処理状態決定装置および演算手段を構成する状態決定手段としても機能するシステム制御部
【図１】
0004533932.tif 000004
【図２】
0004533932.tif 000005
【図３】
0004533932.tif 000006
【図４】
0004533932.tif 000007
【図５】
0004533932.tif 000008